(57)【要約】【課題】内部の回路に対応して収容容積を容易に変更できるようなキャビネットケース、および、このキャビネットケースを用いるキャビネットを提供する。【解決手段】キャビネットケースは、幅が異なる複数種類のベース部結合部材、背面部結合部材、および、天井部結合部材を用意し、最適な収容容積となるようなベース部結合部材５０’、背面部結合部材６０’、および、天井部結合部材７０’と交換することができるキャビネットケースとした。および回路数により大きさ異なるような組合せ回路であっても、このキャビネットケースにより最適な収容容積とした上で収容するキャビネットとした。【選択図】  図４
2004166337.tif 000002
【特許請求の範囲】
【請求項１】
右ベース部と、
左ベース部と、
右ベース部および左ベース部を結合するベース部結合部材と、
右背面部と、
左背面部と、
右背面部および左背面部を結合する背面部結合部材と、
右天井部と、
左天井部と、
右天板部および左天板部を結合する天井部結合部材と、
右ベース部、右背面部および右天板部が結合される右側面部と、
左ベース部、左背面部および左天板部が結合される左側面部と、
前側に配置される前面部と、
により構成されるキャビネットケースであって、
前記ベース部結合部材、前記背面部結合部材、および、前記天井部結合部材に代えて、幅が異なるベース部結合部材、背面部結合部材、および、天井部結合部材と交換してキャビネットケース内の収容容積を変化させることを特徴とするキャビネットケース。
【請求項２】
請求項１に記載のキャビネットケースにおいて、
前記ベース部結合部材は、
下部には右ベース部および左ベース部と同じ高さとなる台座部と、
台座部の上側に設けられた板体と、
を備えることを特徴とするキャビネットケース。
【請求項３】
請求項１または請求項２に記載のキャビネットケースと、
多数の回路から所定の回路を選択して組合せた組合せ回路と、
を備え、
組み合わせ回路に応じて、前記キャビネットケースの収容容積を最適な大きさに調整することを特徴とするキャビネット。
【請求項４】
請求項３に記載のキャビネットにおいて、
前記組み合わせ回路には、電源装置内蔵開閉器、３回路開閉器、モールドジスコン、または、ＵＧＳが含まれることを特徴とするキャビネット。
【発明の詳細な説明】
【０００１】
【発明の属する技術分野】
本発明は、キャビネットケース、および、このキャビネットケースに、地中配電系統にて設置される電力機器を収容してなるキャビネットに関する。
【０００２】
【従来の技術】
従来技術におけるキャビネットは、電力機器を収容できるような収容容積を有するキャビネットケースを選択し、そのキャビネットケースに電力機器を組み込むというものであった。
このようなキャビネットの設置後、部品交換など、内部の回路を変更する必要が生じることも多い。しかし、内部の回路を変更する場合、交換作業は手間取るものであった。そこで、このようなキャビネット内に収容された内部の回路の部品交換を作業性を向上させるような従来技術について、例えば、特許文献１に開示されている。
【０００３】
【特許文献１】
実用新案登録第２５９１２０６号公報
【０００４】
【発明が解決しようとする課題】
特許文献１に記載された考案では、既設のキャビネット内に開閉器を増設する場合、同じキャビネットケースを用いて内部に収容されている部品の交換を行うというものである。しかしながら、特許文献１に記載されたキャビネットでは対応できないような事態が発生する場合もある。例えば、交換する部品によってはキャビネットケース自体も、収容容積が大きい大型のキャビネットケースに交換する必要が生じる場合もある。
【０００５】
このようなキャビネットケースの交換は、交換対象のキャビネットケースを撤去し、あらたなキャビネットケースを持ち込んで組み立て・設置・回路の取り付け等を行う必要があり、大変な手間を要するものであった。
また、交換された古いキャビネットケースは廃棄処理を行う必要もあり、廃棄費用を要するという問題もあった。
【０００６】
また、近年では顧客が要求する仕様を満たす回路を収容したキャビネットを安価かつ短納期で納入することが要求されている。
そこで、顧客が要求する回路数・機構に対応できるようなキャビネットケースおよびキャビネットが要求されている。
これらにおいて共通する課題は、回路に応じて最適な収容容積を有するようなキャビネットケースを即座に製作できるようにする必要があるというところにある。
【０００７】
本発明は、このような状況に鑑みてなされたものであり、その目的は、内部の回路に対応して収容容積を容易に変更できるようなキャビネットケース、および、このキャビネットケースを用いるキャビネットを提供することにある。
【０００８】
【課題を解決するための手段】
上記課題を解決するために、請求項１記載のキャビネットケースによれば、
右ベース部と、
左ベース部と、
右ベース部および左ベース部を結合するベース部結合部材と、
右背面部と、
左背面部と、
右背面部および左背面部を結合する背面部結合部材と、
右天井部と、
左天井部と、
右天板部および左天板部を結合する天井部結合部材と、
右ベース部、右背面部および右天板部が結合される右側面部と、
左ベース部、左背面部および左天板部が結合される左側面部と、
前側に配置される前面部と、
により構成されるキャビネットケースであって、
前記ベース部結合部材、前記背面部結合部材、および、前記天井部結合部材に代えて、幅が異なるベース部結合部材、背面部結合部材、および、天井部結合部材と交換してキャビネットケース内の収容容積を変化させることを特徴とする。
【０００９】
また、請求項２記載のキャビネットケースによれば、
請求項１に記載のキャビネットケースにおいて、
前記ベース部結合部材は、
下部には右ベース部および左ベース部と同じ高さとなる台座部と、
台座部の上側に設けられた板体と、
を備えることを特徴とする。
【００１０】
また、請求項３記載のキャビネットによれば、
請求項１または請求項２に記載のキャビネットケースと、
多数の回路から所定の回路を選択して組合せた組合せ回路と、
を備え、
組み合わせ回路に応じて、前記キャビネットケースの収容容積を最適な大きさに調整することを特徴とする。
【００１１】
また、請求項４記載のキャビネットによれば、
請求項３に記載のキャビネットにおいて、
前記組み合わせ回路には、電源装置内蔵開閉器、３回路開閉器、モールドジスコン、または、ＵＧＳが含まれることを特徴とする。
【００１２】
【発明の実施の形態】
以下、本発明の実施形態について図に基づき説明する。図１は増設前のキャビネットケースの前面斜視図、図２は増設前のキャビネットケースから前面部を取り去った前面斜視図、図３は増設前のキャビネットケースの背面斜視図、図４は増設途中のキャビネットケースの組み立て図、図５はベース部の増設を説明する説明図、図６は背面部の増設を説明する説明図、図７は天井部の増設を説明する説明図、図８は増設後のキャビネットケースの前面斜視図、図９は増設後のキャビネットケースから前面部を取り去った前面斜視図、図１０は増設後のキャビネットケースの背面斜視図、図１１は前面部の着脱を説明する説明図である。
【００１３】
まず、増設前のキャビネットケース１０００について説明する。
増設前のキャビネットケース１０００は、図１で示すように、右側ユニット１０と、左側ユニット２０と、二個の前面部３０，４０を備えている。
右側ユニット１０および左側ユニット２０は、高さ、幅および奥行きが同一寸法であって左右対称になるように構成されている。
また前面部３０，４０は、例えば、両方を扉としたり、または、一方を扉とし他方を前面パネルとしても良い。これら何れでも前面部として用いることができる。
このようなキャビネットケース１０００に図示しない回路が収容される。
【００１４】
右側ユニット１０は、詳しくは図２，図３で示すように、右ベース部１１、右背面部１２、右天井部１３、右側面部１４を備えている。
左側ユニット２０は、詳しくは図２，図３で示すように、左ベース部２１、左背面部２２、左天井部２３、左側面部２４を備えている。
【００１５】
これら右ベース部１１および左ベース部２１は左右対称に構成され、図２，図３で示すように堅牢な構造の基体である。
右背面部１２および左背面部２２は左右対称に構成され、図２，図３で示すようなパネル体で構成される。
同様に、右天井部１３および左天井部２３、ならびに、右側面部１４および左側面部２４も左右対称に構成され、図２，図３で示すようなパネル体で構成される。
【００１６】
また、図示しないが、右側ユニット１０および左側ユニット２０は、それぞれ、アングル状骨材によるフレームが形成されている。
右側ユニット１０では、右ベース部１１、右背面部１２、右天井部１３、および右側面部１４がフレームに組み付けられて構成されている。
左側ユニット２０では、左ベース部２１、左背面部２２、左天井部２３、および左側面部２４がフレームに組み付けられて構成されている。
【００１７】
この右側ユニット１０と左側ユニット２０とは、図２，図３で示すように、ベース部結合部材５０（図２参照）、背面部結合部材６０（図３参照）、天井部結合部材７０（図２，図３参照）を介して結合されている。
【００１８】
ベース部結合部材５０は、詳しくは図５（ａ）で示すように、右ベース部１１および左ベース部２１に掛け渡され、右ベース部１１に溶接等により固定されたナット部１１ａ、および、左ベース部１１に溶接等により固定されたナット部１２ａに、それぞれねじ部５１を螺挿して締結固定する。
ここにベース部結合部材５０は、図２で示すように幅はａである。
【００１９】
背面部結合部材６０も、図６（ａ），（ｂ）で示すように、右背面部１２および左背面部２２に掛け渡され、ナット部１２ａ，２２ａにそれぞれねじ部６１を螺挿して締結固定されている。
天井部結合部材７０も、図７（ａ），（ｂ）で示すように、右天井部１３および左天井部２３に掛け渡され、ナット部１３ａ，２３ａにそれぞれねじ部７１を螺挿して締結固定されている。
ここに背面部結合部材６０および天井部結合部材７０も、図３で示すように幅はａである。
増設前のキャビネットケース１０００はこのように構成されている。
【００２０】
そして、回路に変更が生じ、例えば、回路が大型化した場合に、キャビネットケース１０００の構成を変更する。
具体的には、図２，図３で示したような、右側ユニット１０と左側ユニット２０とを結合する部材（幅ａのベース部結合部材５０、背面部結合部材６０、天井部結合部材７０）を取り外し、図４で示すように幅をｂと広くしたベース部結合部材５０’、背面部結合部材６０’、天井部結合部材７０’に交換する。
【００２１】
図５（ａ）で示されるベース部結合部材５０は、図５（ｂ）で示すように、ねじ部５１による締結を緩めて取り外され、図４，図５（ｃ）で示すような幅広のベース部結合部材５０’が嵌め込まれる。ベース部結合部材５０が板体であったのに対し、このベース部結合部材５０’は、図５（ｃ），（ｄ）で示すような台座部５０ａ’および板体５０ｂ’を備え、台座部５０ａ’により板体５０ｂ’が右ベース部１１および左ベース部２１と同等の高さとなるように底上げし、さらに板体５０ｂ’を右ベース部１１および左ベース部２１に掛け渡した状態で、右ベース部１１に固定されたナット部１１ａ、および、左ベース部１１に固定されたナット部１２ａに、それぞれねじ部５１を螺挿して締結固定する。
【００２２】
図６（ａ）で示される背面部結合部材６０は、図６（ｂ）で示すように、ねじ部６１による締結を緩めて取り外され、図４，図６（ｃ）で示すような幅広の背面結合部材６０’が右背面部１２および左背面部２２に掛け渡され、右背面部１２に固定されたナット部１２ａ、および、左背面部１１に固定されたナット部２２ａに、それぞれねじ部６１を螺挿して締結固定される。
【００２３】
図７（ａ）で示される天井部結合部材７０は、図７（ｂ）で示すように、ねじ部７１による締結を緩めて取り外され、図４，図７（ｃ）で示すような幅広の天井部結合部材７０’が、右天井部１３および左天井部２３に掛け渡され、右天井部１３に固定されたナット部１３ａ、および、左天井部２３に固定されたナット部２３ａに、それぞれねじ部７１を螺挿して締結固定する。
【００２４】
このような増設終了後のキャビネットケースは、図９，図１０で示すような形状に組み立てられることとなる。
なお、ねじ部５１，６１，７１は図９，図１０で図示した数および位置に限定されるものではなく、実状に応じて各種の数および位置を選択することが可能である（なお、図９，図１０ではねじ部５１，６１，７１は数および位置が理解できる程度の簡略な図として、ねじの詳細な図示を省略している）。
【００２５】
このようにして増設されたキャビネットケース１０００’を図８に示す。
３種類の基本的ユニットである右側ユニット１０、中央ユニット８０、左側ユニット２０と、前面部（前面パネルまたは扉）９０，１００とが組み合わされて構成される。ここに、中央ユニット８０が増設されて開口入口の面積が増大したが、これは、図８で示すように前面部９０の面積を大きくすることで対応している。
【００２６】
右側ユニット１０は、先に説明したが図示しないアングル状骨材で形成されたフレームにより、右ベース部１１、右背面部１２、右天井部１３、右側面部１４が一体化され、中央側の側面は開放されている（図９参照）。
左側ユニット２０は、先に説明したが図示しないアングル状骨材で形成されたフレームにより、左ベース部２１、左背面部２２、左天井部２３、左側面部２４が一体化され、中央側の側面は開放されている（図９参照）。
【００２７】
中央ユニット８０は、右側ユニット１０および左側ユニット２０のアングル状骨材のフレームを共用するものであり、ベース部結合部材５０’背面結合部材６０’、天井結合部材７０’が一体化されて、両側面と全面が開放された構成である。
【００２８】
右側ユニット１０、中央ユニット８０、左側ユニット２０は、共に、縦、奥行きは同一寸法であるが、幅については中央ユニットが増設する回路数によって複数の長さを取るようになされているため、必ずしも３種類のユニットともに同一の幅というわけではない。なお、右側ユニット１０および左側ユニット２０の縦、幅、奥行き寸法ともに同一である。
【００２９】
前面部９０，１００の取り付け・取り外しは図１１で示すような簡単な構造を採用している。
これは、図１１（ｂ）で示すように、前面部３０（または前面部９０）に取り付けられた前面部側ヒンジ１１０と、右側面部１４に取り付けられた右側面部側ヒンジ１２０と、にシャフト１３０を挿通し、スナップピン（松葉ピン）１４０でシャフト１３０の上下両端に抜け止めを施すことで軸支するというものである。したがって、前面部９０，１００が扉であっても容易に取り付け・取り外しすることができる。
【００３０】
なお、扉の交換は左右両方向（電力側を増設する時は左扉、需要家側を増設するときは右扉を交換）とも交換可能としており、また、天井部と背面部は一体構造にもできるようにし、現場の設置条件あるいは増設構造に対応できるようになされている。
増設後のキャビネットケース１０００’はこのように構成されている。
【００３１】
続いてこのようなキャビネットケース１０００，１０００’に収容される組合せ回路について概略説明する。図１２は組合せ回路の組合せ例を説明する説明図、図１３は組合せ回路をキャビネットケースに実装した例を説明する説明図である。
【００３２】
組合せ回路は、１個の開閉器を１回路と定義した場合、図１２で示すように、３回路（図１２（ａ））、４回路（図１２（ｂ））、５回路（図１２（ｃ））、６回路（図１２（ｄ））、７回路（図１２（ｅ））、８回路（図１２（ｆ））、９回路（図１２（ｇ））まで回路構成を変更することができる。このような回路構成の変更は、電力需要の変化、自動化など顧客の要請によるものである。例えば、単なる３回路開閉器（図１２（ａ））から図１２（ｄ）で示すような６回路構成に変更される場合を想定して説明する。
【００３３】
この場合、図１で示したようなキャビネットケース１０００から図８で示すようなキャビネットケース１０００’へ変更し、図１３で示すような６回路による組み合わせ回路を構成するものとする。
この６回路構成において、モールド母線２００には、電源装置内蔵開閉器３００、３回路開閉器４００、モールドジスコン５００、ＵＧＳ（地中配電用ガス開閉器）６００が接続されている。電源装置内蔵開閉器３００には手動機構７００が、また、３回路開閉器４００には手動機構７００および自動機構８００がそれぞれ接続されている。
各開閉器（遮断機）の一端ではモールド母線２００が接続されているが、他端では電力会社側、需要家側にそれぞれＣＶＴケーブル（図示せず）が接続されている。
【００３４】
外部接続端子には、図示しないが、モールドジスコン直結型終端接続部が接続可能な構造になっている。通常、電力会社側はモールドジスコン直結型終端接続部が使用され、需要家側は、検電機能がないがモールドジスコン直結型終端接続部に比べて安価な為、ＣＶＴケーブル用屋内終端接続部が使用されている。
組み合わせ回路はこのようなものである。
【００３５】
このように組合せ回路を変更（主に拡大）する必要が生じたとしても、キャビネットケース１０００を増設して収容面積が大きいキャビネットケース１０００’へ直ちに変更できるため、新たなキャビネットケースを購入する必要もなく、交換費用を最小限に抑制することができる。
【００３６】
また、顧客の要望に応じて組み合わせ回路を設計した後、最適なキャビネットケースを採用することが容易に行えるため、納期を短くすることができる。
この場合、左側ユニット、右側ユニット、および、幅の長さを異ならせた複数組みのベース部結合部材、背面部結合部材、天井部結合部材を在庫しておけば、直ちにキャビネットケースを製造することができ、この点でも納期を短くすることの一助となる。
【００３７】
【発明の効果】
総じて、本発明によれば、内部の回路に対応して収容容積を容易に変更できるようなキャビネットケース、および、このキャビネットケースを用いるキャビネットを提供することができる。
【図面の簡単な説明】
【図１】増設前のキャビネットケースの前面斜視図である。
【図２】増設前のキャビネットケースから前面部を取り去った前面斜視図である。
【図３】増設前のキャビネットケースの背面斜視図である。
【図４】増設途中のキャビネットケースの組み立て図である。
【図５】ベース部の増設を説明する説明図である。
【図６】背面部の増設を説明する説明図である。
【図７】天井部の増設を説明する説明図である。
【図８】増設後のキャビネットケースの前面斜視図である。
【図９】増設後のキャビネットケースから前面部を取り去った前面斜視図である。
【図１０】増設後のキャビネットケースの背面斜視図である。
【図１１】前面部の着脱を説明する説明図である。
【図１２】組合せ回路の組合せ例を説明する説明図である。
【図１３】組合せ回路をキャビネットケースに実装した例を説明する説明図である。
【符号の説明】
１０        右側ユニット
１１        右ベース部
１１ａ      ナット部
１２        右背面部
１２ａ      ナット部
１３        右天井部
１３ａ      ナット部
１４        右側面部
２０        左側ユニット
２１        左ベース部
２１ａ      ナット部
２２        左背面部
２２ａ      ナット部
２３        左天井部
２３ａ      ナット部
２４        左側面部
３０        前面部
４０        前面部
５０        ベース部結合部材
５０’      ベース部結合部材
５０ａ’    台座部
５０ｂ’    板体
５１        ねじ部
６０        背面部結合部材
６０’      背面部結合部材
６１        ねじ部
７０        天井部結合部材
７０’      天井部結合部材
７１        ねじ部
８０        中央ユニット
９０        前面部
１００      前面部
１１０      前面部側ヒンジ
１２０      右側面部側ヒンジ
１３０      シャフト
１４０      スナップピン（松葉ピン）
２００      モールド母線
３００      電源装置内蔵開閉器
４００      ３回路開閉器
５００      モールドジスコン
６００      ＵＧＳ
７００      手動機構
８００      自動機構
１０００    キャビネットケース
１０００’  キャビネットケース
１００００  キャビネット
【図１】
2004166337.tif 000003
【図２】
2004166337.tif 000004
【図３】
2004166337.tif 000005
【図４】
2004166337.tif 000006
【図５】
2004166337.tif 000007
【図６】
2004166337.tif 000008
【図７】
2004166337.tif 000009
【図８】
2004166337.tif 000010
【図９】
2004166337.tif 000011
【図１０】
2004166337.tif 000012
【図１１】
2004166337.tif 000013
【図１２】
2004166337.tif 000014
【図１３】
2004166337.tif 000015